(57)【要約】【課題】静止画像データの記録に連動した、動画像データの記録容量不足を通知する画像処理装置を提供する。【解決手段】記録媒体の残容量が、静止画データの記録に連動した動画像データを記録できない状態になった場合に、警告を表示する。【選択図】図３
2013162186.tif 000002
【特許請求の範囲】
【請求項１】
被写体を撮像してデジタル画像に変換する撮像装置であって、
撮像手段と、
前記撮像手段によって記録される静止画像データに連動して動画像データを記録する動画像記録手段と、
前記デジタル画像を格納するための記録媒体と、
前記動画像記録手段によって記録される静止画像データ及び静止画像データに連動した動画像データの推定容量を、前記撮像装置の設定に応じて算出する算出手段と、
前記算出手段によって算出される静止画像データの推定容量と動画像データの推定容量の合算値が、前記記録媒体に記録できる残容量を上回っている場合に、警告を行う警告手段とを有することを特徴とする画像処理装置。
【請求項２】
前記算出手段によって算出される静止画像データの推定容量と動画像データの推定容量の合算値が、前記記録媒体に記録できる残容量を上回っている場合に、前記撮像装置の設定を変更することで静止画像データ又は動画像データの推定容量を変更する設定変更手段と、
設定を変更したことを警告する警告表示手段とをさらに備えたことを特徴とする請求項１に記載の画像処理装置。
【請求項３】
前記算出手段によって算出される静止画像データの推定容量と動画像データの推定容量の合算値が、前記記録媒体に記録できる残容量を上回っている場合に、動画像データの記録時間を変更することで動画像データの推定容量を変更する記録時間変更手段と、
記録時間を変更したことを警告する警告表示手段とをさらに備えたことを特徴とする請求項１に記載の画像処理装置。
【発明の詳細な説明】
【技術分野】
【０００１】
本発明は、静止画像データの記録に連動して動画像データを記録することが可能な技術に関するものである。
【背景技術】
【０００２】
従来、固体メモリ素子を有するメモリカードを記録媒体として、静止画像データや動画像データを記録再生する電子カメラ等の画像処理装置は既に市販されている。この画像処理装置によって設定しているＩＳＯ感度、画像サイズ、画質などにおいて、予想される１画像あたりの容量が、記録媒体に記録できる残容量を上回っている場合、記録媒体の容量が足りないことを警告する表示を行うことが多い。従来技術としては、例えば、特許文献１がある。
【先行技術文献】
【特許文献】
【０００３】
【特許文献１】特開２００５−１７６０１３号公報
【発明の概要】
【発明が解決しようとする課題】
【０００４】
しかしながら、静止画像データの記録に連動して動画像データを記録する機能を有する画像処理装置において、画像処理装置の設定から予想される１静止画像データあたりの容量が、記録媒体に記録できる残容量を下回っていても、静止画像データに連動する動画像データを合算した容量は、記録媒体に記録できる残容量を上回る場合がある。
【０００５】
そのような場合において、ユーザーが静止画像データを記録した際、連動する動画像データが記録されなかったことに、すぐに気付かない場合がある。
【課題を解決するための手段】
【０００６】
本発明に係る被写体を撮像してデジタル画像に変換する画像処理装置に於いては、撮像手段と、前記撮像手段によって記録される静止画像データに連動して動画像データを記録する動画像記録手段と、前記デジタル画像を格納するための記録媒体と、前記撮像手段によって記録される静止画像データ及び前記動画像記録手段によって記録される動画像データの推定容量を、前記撮像装置の設定に応じて算出する算出手段と、前記算出手段によって算出される静止画像データの推定容量と動画像データの推定容量の合算値が、前記記録媒体に記録できる残容量を上回っている場合に、警告を行う警告手段とを有することを特徴とする。
【発明の効果】
【０００７】
本発明に係る画像処理装置によれば、記録媒体の残容量が少ない場合に、静止画像データの記録に連動する動画像データが記録されないことをユーザーに通知することで、記録媒体の交換や画像処理装置の設定の変更など、ユーザーは採り得る行動の選択肢を広げることができる。
【図面の簡単な説明】
【０００８】
【図１】本実施例のブロック図
【図２】各実施例における記録媒体の状態を示す図
【図３】第１の実施形態における警告表示処理のフローチャート
【図４】第２の実施形態における解像度変更処理のフローチャート
【図５】第３の実施形態における解像度変更処理のフローチャート
【図６】第４の実施形態における動画像データ記録時間短縮処理のフローチャート
【発明を実施するための形態】
【０００９】
本発明をデジタルカメラを例に用いて説明をおこなう。
【００１０】
以下、図面を参照して本発明の実施例を説明する。 図１は、本発明の実施例の構成を示す図である。
【００１１】
図1において、１００は画像処理装置である。１０は撮影レンズ、１２は絞り機能を備える機械式シャッター、１４は光学像を電気信号に変換する撮像素子、１６は撮像素子１４のアナログ信号出力をデジタル信号に変換するＡ／Ｄ変換器である。
【００１２】
１８は撮像素子１４、Ａ／Ｄ変換器１６にクロック信号や制御信号を供給するタイミング発生回路であり、メモリ制御回路２２及びシステム制御回路５０により制御される。１２の機械式シャッター以外にも、18による撮像素子のリセットタイミングの制御によって、電子シャッタとして、蓄積時間を制御することが可能であり、動画撮影などに使用可能である。
【００１３】
２０は画像処理回路であり、Ａ／Ｄ変換器１６からのデータ或いはメモリ制御回路２２からのデータに対して所定の画素補間処理や色変換処理を行う。また２０の画像処理回路によって画像の切り出し、変倍処理を行うことで電子ズーム機能が実現される。また、画像処理回路２０においては、撮像した画像データを用いて所定の演算処理を行い、得られた演算結果に基づいてシステム制御回路５０が露光制御手段４０、測距制御手段４２に対して制御を行い、TTL方式のAF処理、AE処理、ＥＦ処理を行っている。さらに、画像処理回路２０においては、撮像した画像データを用いて所定の演算処理を行い、得られた演算結果に基づいてTTL方式のAWB（オートホワイトバランス）処理も行っている。
【００１４】
２２はメモリ制御回路であり、Ａ／Ｄ変換器１６、タイミング発生回路１８、画像処理回路２０、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、メモリ３０に書き込まれる。
【００１５】
２８はTFT  LCD等から成る画像表示部であり、メモリ３０に書き込まれた表示用の画像データはメモリ制御回路２２を介して画像表示部２８に表示される。
【００１６】
画像表示部２８を用いて撮像した画像データを逐次表示すれば、電子ファインダー機能を実現することが可能である。また、画像表示部２８は、システム制御回路５０の指示により任意に表示をON/OFFすることが可能であり、表示をOFFにした場合には画像処理装置１００の電力消費を大幅に低減することが出来る。
【００１７】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１８】
３１はＦｌａｓｈＲＯＭ等で構成された不揮発性メモリである。システム制御回路５０が実行するプログラムコードは不揮発性メモリ３１に書き込まれ、逐次読み出しながらプログラムコードを実行する。また、不揮発性メモリ内にはシステム情報を記憶する領域や、ユーザー設定情報を記憶する領域を設け、さまざまな情報や設定を次回起動時に読み出して、復元することを実現している。
【００１９】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２０】
４０は絞り機能を備えるシャッター１２を制御する露光制御手段であり、フラッシュ４８と連動することによりフラッシュ調光機能も有するものである。
【００２１】
４２は撮影レンズ１０のフォーカシングを制御する測距制御手段、４４は撮影レンズ１０のズーミングを制御するズーム制御手段である。
【００２２】
４８はフラッシュであり、AF補助光の投光機能、フラッシュ調光機能も有する。
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００２３】
５０は画像処理装置１００全体を制御するシステム制御回路である。
【００２４】
６０、６２、６４、６６、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００２５】
ここで、これらの操作手段の具体的な説明を行う。
【００２６】
６０はモードダイアルスイッチで、電源オフ、自動撮影モード、撮影モード、パノラマ撮影モード、動画撮影モード、再生モード、PC接続モード等の各機能モードを切り替え設定することが出来る。
【００２７】
６２はシャッタースイッチSW1で、シャッターボタンの操作途中でONとなり、AF（オートフォーカス）処理、AE（自動露出）処理、AWB（オートホワイトバランス）処理等の動作開始を指示する。
【００２８】
６４はシャッタースイッチSW2で、シャッターボタンの操作完了でONとなる。フラッシュ撮影の場合、ＥＦ（フラッシュプリ発光）処理を行った後に、AE処理で決定された露光時間分、撮像素子１４を露光させ、フラッシュ撮影の場合、この露光期間中に発光させて、露光期間終了と同時に露光制御手段４０により遮光することで、撮像素子１４への露光を終了させる。撮像素子１４から読み出した信号をＡ／Ｄ変換器１６、メモリ制御回路２２を介してメモリ30に画像データを書き込む読み出し処理、画像処理回路２０やメモリ制御回路２２での演算を用いた現像処理、メモリ３０から画像データを読み出し、圧縮・伸長回路３２で圧縮を行う、次に記録媒体２００に画像データを書き込む記録処理という一連の処理の動作開始を指示する。
【００２９】
６６は表示切替スイッチで、画像表示部２８の表示切替をすることが出来る。この機能により、光学ファインダー１０４を用いて撮影を行う際に、TFT LCD等から成る画像表示部への電流供給を遮断することにより、省電力を図ることが可能となる。
【００３０】
７０は各種ボタン、タッチパネルや回転式ダイアル等からなる操作部で、メニューボタン、セットボタン、マクロボタン、マルチ画面再生改ページボタン、フラッシュ設定ボタン、単写/連写/セルフタイマー切り替えボタン等がある。またメニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付/時間設定ボタン等もある。
【００３１】
７２はユーザーが撮像画像の倍率変更指示を行うズーム操作手段としてのズームスイッチ部である。以下、ズームスイッチ７２ともいう。このズームスイッチ７２は、撮像画角を望遠側に変更させるテレスイッチと、広角側に変更させるワイドスイッチからなる。このズームスイッチ７２を用いることにより、ズーム制御手段４４に撮影レンズ１０の撮像画角の変更を指示し光学ズーム操作を行うトリガとなる。また、画像処理回路２０による画像の切り出しや、画素補間処理などによる撮像画角の電子的なズーミング変更のトリガともなる。
【００３２】
８６はアルカリ電池の一次電池やNiCd電池やNiMH電池、Liイオン電池等の二次電池、ACアダプター等からなる電源手段である。
【００３３】
９０はメモリカードやハードディスク等の記録媒体とのインタフェース、９２はメモリカードやハードディスク等の記録媒体と接続を行うコネクタである。
【００３４】
１０４は光学ファインダであり、画像表示部２８による電子ファインダー機能を使用すること無しに、光学ファインダのみを用いて撮影を行うことが可能である。
【００３５】
１１０は通信手段でUSB、IEEE1394、LAN、無線通信、等の各種通信機能を有する。
【００３６】
１１２は通信手段１１０により画像処理装置１００を他の機器と接続するコネクタ或いは無線通信の場合はアンテナである。
【００３７】
２００はメモリカードやハードディスク等の記録媒体である。
【００３８】
記録媒体２００は、半導体メモリや磁気ディスク等から構成される記録部２０２、画像処理装置１００とのインタフェース２０４、画像処理装置１００と接続を行うコネクタ２０６を備えている。
【００３９】
以下に図２〜図６を参照して、本発明の各実施例の動作を説明する。なお、各実施例では、静止画像データの記録に連動して記録される動画像データを「スナップ動画像データ」と称する。
【００４０】
＜第１の実施形態＞
第１の実施形態では、静止画像データの記録に連動して動画像データを記録する機能を有する画像処理装置において、記録部２０２の状態が図２に示すようなスナップ動画像データを記録できない場合に、その旨の警告を表示する例を述べる。
【００４１】
図３は第１の実施形態における警告表示処理のフローチャートである。この警告表示処理における各処理は、システム制御回路５０が不揮発性メモリ３１に格納されたプログラムをメモリ３０に展開して実行することにより実現される。
【００４２】
システム制御回路５０は、記録部２０２の残容量を確認する（Ｓ３０１）。
【００４３】
次に、システム制御回路５０は、撮影前に設定されているＩＳＯ感度、画像サイズ、画質に応じて、静止画像データの推定容量、及びスナップ動画像データの推定容量を算出する（Ｓ３０２）。
【００４４】
次に、前記Ｓ３０１で確認した記録部２０２の残容量と、前記Ｓ３０２で算出した静止画像データの推定容量とを比較する（Ｓ３０３）。
【００４５】
Ｓ３０３の結果、前記Ｓ３０１で確認した記録部２０２の残容量が、前記Ｓ３０２で算出した静止画像データの推定容量よりも少ない場合、静止画像データ及びスナップ動画像データが記録不可であることを示す警告を表示する（Ｓ３０４）。
【００４６】
Ｓ３０３の結果、前記Ｓ３０１で確認した記録部２０２の残容量が、前記Ｓ３０２で算出した静止画像データの推定容量よりも多い場合、前記Ｓ３０１で確認した記録部２０２の残容量と、前記  Ｓ３０２で算出した静止画像データの推定容量、及びスナップ動画像データの推定容量を合算した容量とを比較する（Ｓ３０５）。
【００４７】
Ｓ３０５の結果、前記Ｓ３０１で確認した記録部２０２の残容量が、前記Ｓ３０２で算出した静止画像データの推定容量、及びスナップ動画像データの推定容量を合算した容量よりも少ない場合、スナップ動画像データが記録不可であることを示す警告を表示する（Ｓ３０６）。
【００４８】
＜第２の実施形態＞
第２の実施形態では、静止画像データの記録に連動して動画像データを記録する機能を有する画像処理装置において、記録部２０２の状態が図２に示すようなスナップ動画像データを記録できない場合に、静止画像データ又はスナップ動画像データの解像度を変更して記録容量を小さくすることで、スナップ動画像データを記録可能とする例を述べる。
【００４９】
図４は第２の実施形態における解像度変更処理のフローチャートである。この解像度変更処理における各処理は、システム制御回路５０が不揮発性メモリ３１に格納されたプログラムをメモリ３０に展開して実行することにより実現される。
【００５０】
システム制御回路５０は、記録部２０２の残容量を確認する（Ｓ４０１）。
【００５１】
次に、システム制御回路５０は、撮影前に設定されているＩＳＯ感度、画像サイズ、画質に応じて、静止画像データの推定容量、及びスナップ動画像データの推定容量を算出する（Ｓ４０２）。
【００５２】
次に、前記Ｓ４０１で確認した記録部２０２の残容量と、前記Ｓ４０２で算出した静止画像データの推定容量とを比較する（Ｓ４０３）。
【００５３】
Ｓ４０３の結果、前記Ｓ４０１で確認した記録部２０２の残容量が、前記Ｓ４０２で算出した静止画像データの推定容量よりも少ない場合、静止画像データ及びスナップ動画像データが記録不可であることを示す警告を表示する（Ｓ４０４）。
【００５４】
Ｓ４０３の結果、前記Ｓ４０１で確認した記録部２０２の残容量が、前記Ｓ４０２で算出した静止画像データの推定容量よりも多い場合、前記Ｓ４０１で確認した記録部２０２の残容量と、前記Ｓ４０２で算出した静止画像データの推定容量、及びスナップ動画像データの推定容量を合計した容量とを比較する（Ｓ４０５）。
【００５５】
Ｓ４０５の結果、前記Ｓ４０１で確認した記録部２０２の残容量が、前記Ｓ４０２で算出した静止画像データの推定容量、及びスナップ動画像データの推定容量を合算した容量よりも少ない場合、スナップ動画像データの記録解像度の設定が最下段かどうかを判定する（Ｓ４０６）。
【００５６】
Ｓ４０６の結果、スナップ動画像データの記録解像度の設定が最下段である場合、スナップ動画像データが記録不可であることを示す警告を表示する（Ｓ４０７）。スナップ動画像データの記録解像度の設定が最下段でない場合、スナップ動画像データの記録解像度の設定を一段階下げ（Ｓ４０８）、Ｓ４０５の比較を再度実施する。
【００５７】
Ｓ４０５の結果、前記Ｓ４０１で確認した記録部２０２の残容量が、前記Ｓ４０２で算出した静止画像データの推定容量、及びスナップ動画像データの推定容量を合算した容量よりも多い場合、スナップ動画像データの記録解像度の設定を変更したかを判定する（Ｓ４０９）。
【００５８】
Ｓ４０９の結果、スナップ動画像データの記録解像度の設定を変更した場合、スナップ動画像データの記録解像度を変更したことを示す警告を表示する（Ｓ４１０）。
【００５９】
＜第３の実施形態＞
第３の実施形態では、静止画像データの記録に連動して動画像データを記録する機能を有する画像処理装置において、記録部２０２の状態が図２に示すようなスナップ動画像データを記録できない場合に、静止画像データ又はスナップ動画像データの解像度を変更して記録容量を小さくすることで、スナップ動画像データを記録可能とする例を述べる。
【００６０】
図５は第３の実施形態における解像度変更処理のフローチャートである。この解像度変更処理における各処理は、システム制御回路５０が不揮発性メモリ３１に格納されたプログラムをメモリ３０に展開して実行することにより実現される。
【００６１】
システム制御回路５０は、記録部２０２の残容量を確認する（Ｓ５０１）。
【００６２】
次に、システム制御回路５０は、撮影前に設定されているＩＳＯ感度、画像サイズ、画質に応じて、静止画像データの推定容量、及びスナップ動画像データの推定容量を算出する（Ｓ５０２）。
次に、前記Ｓ５０１で確認した記録部２０２の残容量と、前記Ｓ５０２で算出した静止画像データの推定容量とを比較する（Ｓ５０３）。
【００６３】
Ｓ５０３の結果、前記Ｓ５０１で確認した記録部２０２の残容量が、前記Ｓ５０２で算出した静止画像データの推定容量よりも少ない場合、静止画像データ及びスナップ動画像データが記録不可であることを示す警告を表示する（Ｓ５０４）。
【００６４】
Ｓ５０３の結果、前記Ｓ５０１で確認した記録部２０２の残容量が、前記Ｓ５０２で算出した静止画像データの推定容量よりも多い場合、前記Ｓ５０１で確認した記録部２０２の残容量と、前記Ｓ５０２で算出した静止画像データの推定容量、及びスナップ動画像データの推定容量を合算した容量とを比較する（Ｓ５０５）。
【００６５】
Ｓ５０５の結果、前記Ｓ５０１で確認した記録部２０２の残容量が、前記Ｓ５０２で算出した静止画像データの推定容量、及びスナップ動画像データの推定容量を合算した容量よりも少ない場合、静止画像データの記録解像度の設定が最下段かどうかを判定する（Ｓ５０６）。
【００６６】
Ｓ５０６の結果、静止画像データの記録解像度の設定が最下段である場合、スナップ動画像データが記録不可であることを示す警告を表示する（Ｓ５０７）。静止画像データの記録解像度の設定が最下段でない場合、静止画像データの記録解像度の設定を一段階下げ（Ｓ５０８）、Ｓ５０５の比較を再度実施する。
【００６７】
Ｓ５０５の結果、前記Ｓ５０１で確認した記録部２０２の残容量が、前記Ｓ５０２で算出した静止画像データの推定容量、及びスナップ動画像データの推定容量を合計した容量よりも多い場合、静止画像データの記録解像度の設定を変更したかを判定する（Ｓ５０９）。
【００６８】
Ｓ５０９の結果、静止画像データの記録解像度の設定を変更した場合、静止画像データの記録解像度を変更したことを示す警告を表示する（Ｓ５１０）。
【００６９】
＜第４の実施形態＞
第４の実施形態では、静止画像データの記録に連動して動画像データを記録する機能を有する画像処理装置において、記録部２０２の状態が図２に示すようなスナップ動画像データを記録できない場合に、動画像データは記録可能な時間に短縮して記録する例を述べる。
【００７０】
図６は第４の実施形態における動画像データ記録時間短縮処理のフローチャートである。この動画像データ記録時間短縮処理における各処理は、システム制御回路５０が不揮発性メモリ３１に格納されたプログラムをメモリ３０に展開して実行することにより実現される。
【００７１】
システム制御回路５０は、記録部２０２の残容量を確認する（Ｓ６０１）。
【００７２】
次に、システム制御回路５０は、撮影前に設定されているＩＳＯ感度、画像サイズ、画質に応じて、静止画像データの推定容量、及びスナップ動画像データの推定容量を算出する（Ｓ６０２）。
【００７３】
次に、前記Ｓ６０１で確認した記録部２０２の残容量と、前記Ｓ６０２で算出した静止画像データの推定容量とを比較する（Ｓ６０３）。
【００７４】
Ｓ６０３の結果、前記Ｓ６０１で確認した記録部２０２の残容量が、前記Ｓ６０２で算出した静止画像データの推定容量よりも少ない場合、静止画像データ及びスナップ動画像データが記録不可であることを示す警告を表示する（Ｓ６０４）。
【００７５】
Ｓ６０３の結果、前記Ｓ６０１で確認した記録部２０２の残容量が、前記Ｓ６０２で算出した静止画像データの推定容量よりも多い場合、前記Ｓ６０１で確認した記録部２０２の残容量と、前記Ｓ６０２で算出した静止画像データの推定容量、及びスナップ動画像データの推定容量を合計した容量とを比較する（Ｓ６０５）。
【００７６】
Ｓ６０５の結果、前記Ｓ６０１で確認した記録部２０２の残容量が、前記Ｓ６０２で算出した静止画像データの推定容量、及びスナップ動画像データの推定容量を合計した容量よりも少ない場合、動画像データの記録時間の設定が１秒かどうかを判定する（Ｓ６０６）。
【００７７】
Ｓ６０６の結果、動画像データの記録時間の設定が１秒である場合、スナップ動画像データが記録不可であることを示す警告を表示する（Ｓ６０７）。動画像データの記録時間の設定が１秒でない場合、動画像データの記録時間の設定を１秒短縮し（Ｓ６０８）、Ｓ６０５の比較を再度実施する。
【００７８】
Ｓ６０５の結果、前記Ｓ６０１で確認した記録部２０２の残容量が、前記Ｓ６０２で算出した静止画像データの推定容量、及びスナップ動画像データの推定容量を合算した容量よりも多い場合、動画像データの記録時間の設定を変更したかを判定する（Ｓ６０９）。
【００７９】
Ｓ６０９の結果、動画像データの記録時間の設定を変更した場合、動画像データの記録時間を短縮したことを示す警告を表示する（Ｓ６１０）。
【符号の説明】
【００８０】
１０：撮影レンズ  １２：シャッター  １４：撮像素子  １６：Ａ／Ｄ変換器  １８：タイミング発生回路  ２０：画像処理回路  ２２：メモリ制御回路  ２８：画像表示部  ３０：メモリ  ３１：不揮発性メモリ  ３２：画像圧縮・伸長回路
４０：露光制御手段  ４２：測距制御手段  ４４：ズーム制御手段  ４８：フラッシュ 
５０：システム制御回路
６０：モードダイアルスイッチ  ６２：シャッタースイッチSW1  ６４：シャッタースイッチSW2 
６６：表示切替スイッチ  ７０：操作部  ７２：ズームスイッチ
９０：インタフェース  ９２：コネクタ
１００：画像処理装置  １０４：光学ファインダ
１１０：通信手段  １１２：コネクタ（またはアンテナ）
２００：記録媒体  ２０２：記録部  ２０４：インタフェース  ２０６：コネクタ
【図１】
2013162186.tif 000003
【図２】
2013162186.tif 000004
【図３】
2013162186.tif 000005
【図４】
2013162186.tif 000006
【図５】
2013162186.tif 000007
【図６】
2013162186.tif 000008